(57)【要約】【課題】  ＡＶアンプで第一２カ国語放送の第１言語又は第２言語の設定がなされている場合に設定されている第１言語又は第２言語の第二２カ国語放送の音声データを、ＴＶ受像機からＡＶアンプに送信すること。【解決手段】  ＡＶアンプの第一２カ国語放送設定手段の設定が第１言語である場合には、ＴＶ受像機の第二２カ国語放送設定手段の設定を自動的に第１言語に設定することができるので、ＴＶ受像機からＡＶアンプに、第二２カ国語放送の第１言語の音声データを送信することができる。その結果、ＡＶアンプの第一２カ国語放送設定手段の設定が第１言語であるにもかかわらず、ＴＶ受像機の第二２カ国語放送設定手段の設定が第２言語であるために、ＴＶ受像機からＡＶアンプに、第二２カ国語放送の第２言語の音声データが送信されてしまい、ＡＶアンプが、第二２カ国語放送の第１言語の音声データを再生できないという問題を解決できる。【選択図】図２
2010093513.tif 000002
【特許請求の範囲】
【請求項１】
音声送信装置と、前記音声送信装置に接続可能な音声受信装置とを備え、第１言語と第２言語とを音声多重形式で含む音声データとして放送される第一２カ国語放送と、第１言語と第２言語とが別系統のステレオ音声データとして放送される第二２カ国語放送とを受信する音声送受信システムであって、
前記音声送信装置が、
第二２カ国語放送を受信する放送受信手段と、
第二２カ国語放送において第１言語又は第２言語を設定する第二２カ国語放送設定手段と、
前記放送受信手段が受信した第二２カ国語放送のうち、前記第二２カ国語放送設定手段によって設定されている第１言語又は第２言語の音声データを前記音声受信装置に送信する送信手段とを有し、
前記音声受信装置が、
前記送信手段から送信された第二２カ国語放送の第１言語又は第２言語の音声データを受信する受信手段と、
第一２カ国語放送において第１言語又は第２言語を設定する第一２カ国語放送設定手段と、
第一２カ国語放送設定手段によって設定されている第一２カ国語放送の設定情報を前記音声送信装置に送信する設定通知手段とを有し、
前記音声送信装置が、前記設定通知手段から前記設定情報を受信する通知受信手段をさらに有し、
前記第二２カ国語放送設定手段が、前記通知受信手段が受信した前記設定情報が第一２カ国語放送の第１言語である場合に、第二２カ国語放送設の第１言語に設定し、前記設定情報が第一２カ国語放送の第２言語である場合に、第二２カ国語放送設の第２言語に設定する、音声送受信システム。
【請求項２】
前記音声送信装置が、
前記放送受信手段が第二２カ国語放送を受信しているか否かを判断する判断手段と、
前記放送受信手段が第二２カ国語放送を受信していると判断された場合、前記放送受信手段が第二２カ国語放送を受信している旨を通知する受信通知手段とをさらに有し、
前記受信通知手段からの通知を受信したときに、前記設定通知手段が、第一２カ国語放送設定手段によって設定されている第一２カ国語放送の設定情報を前記音声送信装置に送信する、請求項１に記載の音声送受信システム。
【請求項３】
請求項１または２に記載の音声送受信システムに適用される音声送信装置であって、
第二２カ国語放送を受信する放送受信手段と、
第二２カ国語放送において第１言語又は第２言語を設定する第二２カ国語放送設定手段と、
前記放送受信手段が受信した第二２カ国語放送のうち、前記第二２カ国語放送設定手段によって設定されている第１言語又は第２言語の音声データを前記音声受信装置に送信する送信手段と、
前記設定通知手段から前記設定情報を受信する通知受信手段とを備え、
前記第二２カ国語放送設定手段が、前記通知受信手段が受信した前記設定情報が第一２カ国語放送の第１言語である場合に、第二２カ国語放送設の第１言語に設定し、前記設定情報が第一２カ国語放送の第２言語である場合に、第二２カ国語放送設の第２言語に設定する、音声送信装置。
【請求項４】
請求項３に記載の各手段をコンピュータに実行させる、音声送信装置の動作プログラム。
【請求項５】
請求項１または２に記載の音声送受信システムに適用される音声受信装置であって、
前記送信手段から送信された第二２カ国語放送の第１言語又は第２言語の音声データを受信する受信手段と、
第一２カ国語放送において第１言語又は第２言語を設定する第一２カ国語放送設定手段と、
第一２カ国語放送設定手段によって設定されている第一２カ国語放送の設定情報を前記音声送信装置に送信する設定通知手段とを備える、音声受信装置。
【請求項６】
請求項５に記載の各手段をコンピュータに実行させる、音声受信装置の動作プログラム。
【発明の詳細な説明】
【技術分野】
【０００１】
本発明は、音声送信装置が第二２カ国語放送を受信して、音声送信装置から音声受信装置に第二２カ国語放送の音声データを送信する音声送受信システムに関する。
【背景技術】
【０００２】
ＴＶ受像機とＡＶアンプとを音声ケーブルを介して接続し、ＴＶ受像機が受信したＴＶ放送の音声データを、音声ケーブルを介してＡＶアンプに送信し、ＡＶアンプにおいて、音声データを増幅し、外部に接続されたスピーカーから音声を再生するシステムが利用されている。現在、ＴＶ放送において２カ国語放送（第１言語、及び、第２言語）のサービスが提供されており、２カ国語放送には２種類の方式が存在する。
【０００３】
１つ目の方式（第一２カ国語放送という。）は、第１言語（主音声）及び第２言語（副音声）を含む音声多重方式の放送である。ＡＶアンプは、第一２カ国語放送について、ユーザ操作によって第１言語又は第２言語の設定が可能になっている。ＡＶアンプは、ＴＶ受像機から受信した第１言語及び第２言語を含む音声多重形式の音声データの中から設定されている方の音声データ（第１言語又は第２言語）を抽出して、増幅し、スピーカーに出力する。
【０００４】
２つ目の方式（第二２カ国語放送という。）は、２系統のステレオ音声データを含み、一系統が第１言語、もう一系統が第２言語である放送である。この方式は、現在、地上デジタル放送で採用されている。ＴＶ受像機は、第二２カ国語放送について、ユーザ操作によって第１言語又は第２言語の設定が可能になっている。そして、ＴＶ受像機は、受信した第二２カ国語放送のうち、設定されている方の第１言語又は第２言語の音声データのみをＡＶアンプに送信する。一方、ＡＶアンプは、第二２カ国語放送について、ユーザ操作によって第１言語又は第２言語を設定することはできない。
【０００５】
第二２カ国語放送を再生する場合に、ＡＶアンプで第一２カ国語放送の第１言語又は第２言語の設定がされていたとしても、ＡＶアンプは、ＴＶ受像機から送信された第二２カ国語放送の第１言語又は第２言語の音声データを再生するしかない。つまり、ＴＶ受像機の第二２カ国語放送の設定が第１言語になっている場合には、ＡＶアンプの第一２カ国語放送の設定が第２言語になっていたとしても、ＴＶ受像機からＡＶアンプには第二２カ国語放送の第１言語の音声データのみが送信され、第二２カ国語放送の第２言語の音声データは送信されない。従って、ＡＶアンプでは、第一２カ国語放送の第２言語が設定されているにもかかわらず、第二２カ国語放送の第１言語の音声データしか再生することができない。このような場合に、ユーザは、ＡＶアンプの第一２カ国語放送の設定ではなく、ＴＶ受像機の第二２カ国語放送の設定を第２言語に変更する必要がある。
【０００６】
同様に、ＴＶ受像機の第二２カ国語放送の設定が第２言語になっている場合には、ＡＶアンプの第一２カ国語放送の設定が第１言語になっていたとしても、ＴＶ受像機からＡＶアンプには第二２カ国語放送の第２言語の音声データのみが送信され、第二２カ国語放送の第１言語の音声データは送信されない。従って、ＡＶアンプでは、第一２カ国語放送の第１言語が設定されているにもかかわらず、第二２カ国語放送の第２言語の音声データしか再生することができない。このような場合に、ユーザは、ＡＶアンプの第一２カ国語放送の設定ではなく、ＴＶ受像機の第二２カ国語放送の設定を第１言語に変更する必要がある。
【０００７】
しかし、一般的には、第一２カ国語放送であるか、第二２カ国語放送であるかをユーザは判別することができず、ＡＶアンプ又はＴＶ受像機のどちらの設定を変更すればよいかが分からない。
【０００８】
【特許文献１】特開平１１−１８７３５９号公報
【発明の開示】
【発明が解決しようとする課題】
【０００９】
本発明は上記従来の課題を解決するためになされたものであり、その目的は、音声受信装置で第一２カ国語放送の第１言語又は第２言語の設定がなされている場合に、音声受信装置に設定されている第１言語又は第２言語の第二２カ国語放送の音声データを、音声送信装置から音声受信装置に送信することができる音声送受信システムを提供することである。
【課題を解決するための手段】
【００１０】
本発明の好ましい実施形態による音声送受信システムは、音声送信装置と、前記音声送信装置に接続可能な音声受信装置とを備え、第１言語と第２言語とを音声多重形式で含む音声データとして放送される第一２カ国語放送と、第１言語と第２言語とが別系統のステレオ音声データとして放送される第二２カ国語放送とを受信する音声送受信システムであって、前記音声送信装置が、第二２カ国語放送を受信する放送受信手段と、第二２カ国語放送において第１言語又は第２言語を設定する第二２カ国語放送設定手段と、前記放送受信手段が受信した第二２カ国語放送のうち、前記第二２カ国語放送設定手段によって設定されている第１言語又は第２言語の音声データを前記音声受信装置に送信する送信手段とを有し、前記音声受信装置が、前記送信手段から送信された第二２カ国語放送の第１言語又は第２言語の音声データを受信する受信手段と、第一２カ国語放送において第１言語又は第２言語を設定する第一２カ国語放送設定手段と、第一２カ国語放送設定手段によって設定されている第一２カ国語放送の設定情報を前記音声送信装置に送信する設定通知手段とを有し、前記音声送信装置が、前記設定通知手段から前記設定情報を受信する通知受信手段をさらに有し、前記第二２カ国語放送設定手段が、前記通知受信手段が受信した前記設定情報が第一２カ国語放送の第１言語である場合に、第二２カ国語放送設の第１言語に設定し、前記設定情報が第一２カ国語放送の第２言語である場合に、第二２カ国語放送設の第２言語に設定する。
【００１１】
従って、音声受信装置の第一２カ国語放送設定手段の設定を、音声送信装置の第二２カ国語放送設定手段の設定に反映させることができる。詳細には、音声受信装置の第一２カ国語放送設定手段の設定が第１言語である場合には、音声送信装置の第二２カ国語放送設定手段の設定を自動的に第１言語に設定することができるので、音声送信装置から音声受信装置に、第二２カ国語放送の第１言語の音声データを送信することができる。その結果、音声受信装置の第一２カ国語放送設定手段の設定が第１言語であるにもかかわらず、音声送信装置の第二２カ国語放送設定手段の設定が第２言語であるために、音声送信装置から音声受信装置に、第二２カ国語放送の第２言語の音声データが送信されてしまい、音声受信装置が、第二２カ国語放送の第１言語の音声データを再生できないという問題を解決できる。同様に、音声受信装置の第一２カ国語放送設定手段の設定が第２言語である場合には、音声送信装置の第二２カ国語放送設定手段の設定を自動的に第２言語に設定することができるので、音声送信装置から音声受信装置に、第二２カ国語放送の第２言語の音声データを送信することができる。その結果、音声受信装置の第一２カ国語放送設定手段の設定が第２言語であるにもかかわらず、音声送信装置の第二２カ国語放送設定手段の設定が第１言語であるために、音声送信装置から音声受信装置に、第二２カ国語放送の第１言語の音声データが送信されてしまい、音声受信装置が、第二２カ国語放送の第２言語の音声データを再生できないという問題を解決できる。なお、第１言語、第２言語以外に、第３言語の設定が存在する場合も本発明に包含される。
【００１２】
好ましい実施形態においては、前記音声送信装置が、前記放送受信手段が第二２カ国語放送を受信しているか否かを判断する判断手段と、前記放送受信手段が第二２カ国語放送を受信していると判断された場合、前記放送受信手段が第二２カ国語放送を受信している旨を通知する受信通知手段とをさらに有し、前記受信通知手段からの通知を受信したときに、前記設定通知手段が、第一２カ国語放送設定手段によって設定されている第一２カ国語放送の設定情報を前記音声送信装置に送信する。
【００１３】
この場合、音声送信装置が実際に第二２カ国語放送を受信している際に、音声受信装置の第一２カ国語放送設定手段の設定を、音声送信装置の第二２カ国語放送設定手段の設定に反映させることができる。
【発明の効果】
【００１４】
音声受信装置の第一２カ国語放送設定手段の設定を、音声送信装置の第二２カ国語放送設定手段の設定に反映させることができる。
【発明を実施するための最良の形態】
【００１５】
以下、本発明の好ましい実施形態によるＡＶアンプ（音声受信装置）２０、及び、ＴＶ受像機（音声送信装置）３０を備える音声送受信システムついて、図面を参照して具体的に説明するが、本発明はこれらの実施形態には限定されない。
【００１６】
ＴＶ受像機３０は、ＴＶ放送（例えばデジタルＴＶ放送）を受信し、ＴＶ放送の映像データを表示部に表示し、かつ、音声データをＡＶアンプ２０に送信する。ＡＶアンプ２０は、ＴＶ受像機３０から受信した音声データをＤ／Ａ変換および増幅処理し、接続されているスピーカーに出力し、音声を再生する。
【００１７】
図１は、ＡＶアンプ２０およびＴＶ受像機３０の構成を示すブロック図である。ＡＶアンプ２０およびＴＶ受像機３０は、例えばＨＤＭＩ規格に準拠しており、ＨＤＭＩケーブルを介して相互に接続されている。なお、図１において、ＨＤＭＩケーブルを介してＡＶアンプ２０からＴＶ受像機３０に映像データ及び音声データを含むＨＤＭＩデータを送信するための構成（ＨＤＭＩ送信部、ＨＤＭＩ受信部）等は省略している。
【００１８】
［ＴＶ受像機３０の構成］
ＴＶ受像機３０は、制御部３１と、メモリ３２と、ＴＶチューナ３３と、表示部３４と、操作部３５と、ＨＤＭＩ端子３６と、音声出力端子３７とを備える。
【００１９】
ＴＶチューナ３３は、ＴＶ放送の映像データを受信して、表示部３４に供給する。デジタルＴＶ放送の場合には、ＴＶチューナ３３は、受信したデジタル映像データをアナログ映像信号に変換し、表示部３４に供給する。
【００２０】
また、ＴＶチューナ３３は、ＴＶ放送の音声データを受信して、音声出力端子３７及び音声ケーブルを介してＡＶアンプ２０に音声データを供給する。デジタルＴＶ放送の場合には、ＴＶチューナ３３は、受信したデジタル音声データをＡＶアンプ２０に供給する。
【００２１】
ＴＶチューナ３３が受信する音声データには２カ国語放送（第１言語、及び、第２言語）のサービスが提供されており、２カ国語放送には２種類の方式が存在する。１つ目の方式（本実施形態において、第一２カ国語放送と定義する。）は、第１言語（主音声）及び第２言語（副音声）を含む音声多重方式の音声データである。第一２カ国語放送の音声データを受信した場合に、ＴＶチューナ３３は、第１言語及び第２言語を含む音声データをＡＶアンプ２０に供給する。
【００２２】
２つ目の方式（本実施形態において、第二２カ国語放送と定義する。）は、２系統のステレオ音声データが提供され、一系統の音声データが第１言語であり、もう一系統の音声データが第２言語である。ＴＶ受像機３０のメモリ３２には図示しない第二２カ国語放送設定テーブルが格納されており、ユーザ操作又はＡＶアンプ２０からの通知に基づいて、第二２カ国語放送について第１言語又は第２言語の設定が可能になっている。第１言語が設定されている場合、ＴＶチューナ３３は、第二２カ国語放送の第１言語の音声データのみをＡＶアンプ２０に供給する。第２言語が設定されている場合、ＴＶチューナ３３は、第二２カ国語放送の第２言語の音声データのみをＡＶアンプ２０に供給する。
【００２３】
表示部３４は、ＴＶチューナ３３から供給された映像データを表示するものであり、ＬＣＤやＰＤＰ等である。操作部３５は、ユーザ操作によって指示が入力されるものであり、筐体に設けられた操作ボタンやリモコン送受信機などである。操作部３５を介して、第二２カ国語放送の第１言語又は第２言語を設定する指示が入力される。
【００２４】
制御部３１は、メモリ３２に格納されているＴＶ受像機３０の動作プログラムに基づいて後述する各処理を実行するものであり、マイコンやＣＰＵ等である。制御部３１は、ＨＤＭＩケーブルのＣＥＣラインを介してＡＶアンプ２０の制御部２１に接続されており、ＣＥＣラインを介してＡＶアンプ２０の制御部２１との間でコマンドや通知を送受信する。なお、ＨＤＭＩケーブルのＣＥＣラインの代わりに、その他の通信ラインを用いてコマンドや通知を送受信することもできる。
【００２５】
例えば、制御部３１は、ＡＶアンプ２０の制御部２１から第一２カ国語放送の設定情報を受信した際に、受信した第一２カ国語放送の設定情報に基づいて、第二２カ国語放送の設定を実行する。つまり、受信した第一２カ国語放送の設定情報が第１言語であれば、第二２カ国語放送の設定が第１言語に設定され、受信した第一２カ国語放送の設定情報が第２言語であれば、第二２カ国語放送の設定が第２言語に設定される。
【００２６】
［ＡＶアンプの構成］
ＡＶアンプ２０は、制御部２１と、メモリ２２と、音声処理部２３と、操作部２４と、表示部２５と、ＨＤＭＩ端子２６と、音声入力端子２７とを有している。
【００２７】
音声処理部２３は、ＴＶチューナ３３から音声入力端子２７を介して受信した音声データに対して、Ｄ／Ａ変換、信号処理、増幅処理等の処理を実行し、外部に接続されたスピーカー６０に音声信号を供給する。
【００２８】
メモリ２２には図示しない第一２カ国語放送設定テーブルが格納されており、第一２カ国語放送において、第１言語又は第２言語を設定可能になっている。第１言語が設定されている場合、音声処理部２３は、第１言語及び第２言語を含む音声多重方式の音声データの中から第１言語を抽出し、増幅して、スピーカー６０に出力する。第２言語が設定されている場合、音声処理部２３は、第１言語及び第２言語を含む音声多重方式の音声データの中から第２言語を抽出し、増幅して、スピーカー６０に出力する。
【００２９】
メモリ２２には、第二２カ国語放送における、第１言語又は第２言語を設定することはできない。なぜならば、ＴＶ受像機３０で第二２カ国語放送における第１言語が設定されている場合には、ＴＶ受像機３０からＡＶアンプ２０に第二２カ国語放送の第１言語の音声データのみが供給され、ＴＶ受像機３０で第二２カ国語放送における第２言語が設定されている場合には、ＴＶ受像機３０からＡＶアンプ２０に第二２カ国語放送の第２言語の音声データのみが供給されるからである。
【００３０】
操作部２４は、ユーザ操作によって指示が入力されるものであり、筐体に設けられた操作ボタンやリモコン送受信機などである。操作部２４を介して、第一２カ国語放送の第１言語又は第２言語を設定する指示が入力される。
【００３１】
制御部２１は、メモリ２２に格納されているＡＶアンプの動作プログラムに基づいて、後述する各処理を実行するものであり、マイコンやＣＰＵ等である。制御部２１は、ＨＤＭＩケーブルのＣＥＣラインを介してＴＶ受像機３０の制御部３１に接続されており、ＣＥＣラインを介してＴＶ受像機３０の制御部３１とコマンドや通知を送受信する。なお、ＨＤＭＩケーブルのＣＥＣラインの代わりに、その他の通信ラインを用いてコマンドや通知を送受信することもできる。
【００３２】
例えば、制御部２１は、第一２カ国語放送の設定情報をＴＶ受像機３０の制御部３１に送信する。ＴＶ受像機３０の制御部３１に、ＡＶアンプ２０に設定されている第一２カ国語放送の設定情報に基づいて、ＴＶ受像機の第二２カ国語放送の設定を実行させるためである。
【００３３】
［動作］
以下、本実施形態の動作を説明する。図２は、ＴＶ受像機３０の制御部３１の処理を示すフローチャートであり、図３は、ＡＶアンプ２０の制御部２１の処理を示すフローチャートである。
【００３４】
図２に示すように、ＴＶ受像機３０の制御部３１は、ＴＶチューナ３３が第二２カ国語放送を受信しているか否かを判断する（Ｓ１１）。ＴＶチューナ３３が第二２カ国語放送を受信しているか否かは、受信した音声データのフォーマットをチェックすることによって実行される。第二２カ国語放送を受信していると判断しなければ（Ｓ１１でＮＯ）、Ｓ１３に進む。第二２カ国語放送を受信していると判断した場合（Ｓ１１でＹＥＳ）、制御部３１は、ＣＥＣラインを介して、ＡＶアンプ２０の制御部２１に、第二２カ国語放送を受信している旨の通知を送信する（Ｓ１２）。
【００３５】
図３に示すように、ＡＶアンプ２０の制御部２１は、ＴＶ受像機３０の制御部３１から第二２カ国語放送を受信している旨の通知を受信したか否かを判断する（Ｓ２１）。第二２カ国語放送を受信している旨の通知を受信した場合（Ｓ２１でＹＥＳ）、制御部２１は、メモリ２２に設定されている第一２カ国語放送の設定情報（第１言語又は第２言語）を、ＣＥＣラインを介してＴＶ受像機３０の制御部３１に通知する。つまり、第１言語に設定されている場合には、第１言語に設定されている旨を通知し、第２言語に設定されている場合には、第２言語に設定されている旨を通知する。
【００３６】
一方、第二２カ国語放送を受信している旨の通知を受信しない場合（Ｓ２１でＮＯ）、制御部２１は、ユーザ操作によって、メモリ２２に設定されている第一２カ国語放送の設定が変更（つまり、第１言語から第２言語に、又は、第２言語から第１言語に変更）されたか否かを判断する（Ｓ２２）。変更されなければ（Ｓ２２でＮＯ）、Ｓ２１に戻る。変更された場合（Ｓ２２でＹＥＳ）、制御部２１は、変更後の第一２カ国語放送の設定情報（第１言語、又は、第２言語）を、ＣＥＣラインを介してＴＶ受像機３０の制御部３１に通知する。つまり、第１言語に変更された場合には、第１言語に設定されている旨を通知し、第２言語に変更された場合には、第２言語に設定されている旨を通知する。
【００３７】
図２に示すように、ＴＶ受像機３０の制御部３１は、ＡＶアンプ２０の制御部２１から、メモリ２２に設定されている第一２カ国語放送の設定情報（１言語又は第２言語）を受信したか否かを判断する（Ｓ１３）。受信しなければ（Ｓ１３でＮＯ）、Ｓ１１に戻る。
【００３８】
受信した場合（Ｓ１３でＹＥＳ）、制御部３１は、メモリ３２に設定されている第二２カ国語放送の設定を、ＡＶアンプ２０の制御部２１から受信した第一２カ国語放送の設定情報に基づいて実行する（Ｓ１４）。
【００３９】
すなわち、ＡＶアンプ２０の制御部２１から受信した第一２カ国語放送の設定情報が第１言語である場合に、制御部３１は、第二２カ国語放送の設定を第１言語に設定する。その結果、ＡＶアンプ２０の第一２カ国語放送の設定が第１言語である場合、ＴＶチューナ３３から第二２カ国語放送の第１言語の音声データをＡＶアンプ２０に供給し、ＡＶアンプ２０において、第二２カ国語放送の第１言語の音声データを受信して再生することができる。
【００４０】
同様に、ＡＶアンプ２０の制御部２１から受信した第一２カ国語放送の設定情報が第２言語である場合に、制御部３１は、第二２カ国語放送の設定を第２言語に設定する。その結果、ＡＶアンプ２０の第一２カ国語放送の設定が第２言語である場合、ＴＶチューナ３３から第二２カ国語放送の第２言語の音声データをＡＶアンプ２０に供給し、ＡＶアンプ２０において、第二２カ国語放送の第２言語の音声データを受信して再生することができる。
【００４１】
以上の処理によって、ＡＶアンプ２０に第一２カ国語放送の第１音声又は第２音声が設定されている場合に、ＴＶ受像機３０は、第二２カ国語放送の音声データをＡＶアンプ２０に供給する際に、ＡＶアンプ２０の第一２カ国語放送の設定に対応した第二２カ国語放送の第１言語又は第２言語の音声データをＡＶアンプ２０に供給することができる。
【００４２】
以上、本発明の好ましい実施形態を説明したが、本発明はこれらの実施形態には限定されない。ＡＶアンプ、ＴＶ受像機の上記動作をコンピュータに実行させるためのプログラムおよびこれを記録した記録媒体という形態で提供されてもよい。
【産業上の利用可能性】
【００４３】
本発明は、ＡＶアンプおよびＴＶ受像機等に好適に採用され得る。
【図面の簡単な説明】
【００４４】
【図１】本発明の好ましい実施形態によるＡＶアンプ２０およびＴＶ受像機３０の構成を示すブロック図である。
【図２】ＴＶ受像機３０の制御部３１の処理を示すフローチャートである。
【図３】ＡＶアンプ２０の制御部３１の処理を示すフローチャートである。
【符号の説明】
【００４５】
２０            ＡＶアンプ
２１            制御部
２２            メモリ
２３            音声処理部
２４            操作部
２５            表示部
２６            ＨＤＭＩ端子
２７            音声入力端子
３０            ＴＶ受像機
３１            制御部
３２            メモリ
３３            ＴＶチューナ
３４            表示部
３５            操作部
【図１】
2010093513.tif 000003
【図２】
2010093513.tif 000004
【図３】
2010093513.tif 000005